(57)【要約】【課題】プラスチック製配管の敷設施工現場において、巻き取られたプラスチック製配管を繰り出す作業を、簡便な手段によって可能にする繰出装置を提供すること。【解決手段】巻き取られたプラスチック製配管を敷設施工現場において繰り出すための、折りたたみ可能の繰出装置であって、回転架台と、前記回転架台の回転軸を設置面に固定するための固定軸部材と、前記回転架台の回転軸中心部から複数方向に放射状に延出して設けられた、プラスチック製配管を把持するための配管受けアームと、前記回転架台の回転とともに配管受けアームの回転を可能にするために該配管受けアームに設けられたキャスターとを具備し、前記配管受けアームが、設置面に対して垂直方向に回転自在に前記回転架台に固定されることによって、複数の前記配管受けアームを傘状に折りたためるようにしたことを特徴とするプラスチック製配管の繰出装置。【選択図】図１
2008133892.tif 000002
【特許請求の範囲】
【請求項１】
巻き取られたプラスチック製配管を敷設施工現場において繰り出すための、折りたたみ可能の繰出装置であって、
回転架台と、
前記回転架台の回転軸を設置面に固定するための固定軸部材と、
前記回転架台の回転軸中心部から複数方向に放射状に延出して設けられた、プラスチック製配管を把持するための配管受けアームと、
前記回転架台の回転とともに配管受けアームの回転を可能にするために該配管受けアームに設けられたキャスターとを具備し、前記配管受けアームが、設置面に対して垂直方向に回転自在に前記回転架台に固定されることによって、複数の前記配管受けアームを傘状に折りたためるようにしたことを特徴とする、プラスチック製配管の繰出装置。
【請求項２】
前記複数の配管受けアームを相互に固定して横ぶれを防止するための固定部材をさらに具備する、請求項１に記載のプラスチック製配管の繰出装置。
【請求項３】
前記キャスターが、前記配管受けアームの長手方向への移動可能に固定されている、請求項１に記載のプラスチック製配管の繰出装置。
【請求項４】
前記プラスチック製配管がポリエチレンパイプである、請求項１に記載のプラスチック製配管の繰出装置。
【発明の詳細な説明】
【技術分野】
【０００１】
本発明は、プラスチック製配管の敷設施工現場において、巻き取られたプラスチック製配管を繰り出すための繰出装置に関するものである。
【背景技術】
【０００２】
ポリエチレン等のポリオレフィン系プラスチック管は、軽量で可撓性を有するとともに耐腐食性および耐久性にもすぐれていることから、上水道、中水道および下水道などの送水用配管、農業用水配管、消火栓配管、薬液輸送用配管、海底用配管、海水取水管、給湯配管、橋梁添架管、吊り配管、山岳配管など、多様な用途において近年広く用いられている（たとえば、特許文献１参照）。
【０００３】
このような長尺のプラスチック製配管を敷設する場合においては、従来、プラスチック製配管を予め巻芯に巻き取った状態、あるいは巻いたプラスチック製配管を結束した状態で工事現場まで搬送し、車輌の荷台や地面に横たえた状態で解巻しながらプラスチック製配管を繰り出す作業が行われていた。
【０００４】
しかしながら、プラスチック製の配管であっても、長尺の場合には巻き取られた配管の重量はいきおい増大し、これを円滑に繰り出して所定位置に敷設することは困難である。このような観点で、配管の繰出を円滑に行う手段として、特開２０００−３１０３５５号公報（特許文献２）に記載されているような繰出装置が提案されている。この装置は、車輌上に設置して配管を円滑に繰り出す方法としてはすぐれた技術である。しかしながら、現場に配管束を搬送して、地表にこれを載置した状態で配管の繰り出しを行う手段としては、必ずしも便利なものとはいえない。
【０００５】
したがってプラスチック製配管の巻束を地表に水平に載置した状態から、円滑かつ迅速に配管の繰り出しを行うことを可能にする装置が要請されている。
【０００６】
さらに、複雑な装置ではなく、また現場での装置の煩雑な組み立て作業の必要がない簡便な装置が要請されている。
【特許文献１】特開２００５−１５５７８７号公報
【特許文献２】特開２０００−３１０３５５号公報
【発明の開示】
【発明が解決しようとする課題】
【０００７】
本発明は、上述した従来技術の問題点に鑑みてなされたものであり、プラスチック製配管の敷設施工現場において、巻き取られたプラスチック製配管を繰り出す作業を、極めて簡便な手段によって可能にする繰出装置を提供することを目的とするものである。
【課題を解決するための手段】
【０００８】
上記の課題を解決するために、本発明に係るプラスチック製配管の繰出装置は、巻き取られたプラスチック製配管を敷設施工現場において繰り出すための、折りたたみ可能の繰出装置であって、回転架台と、前記回転架台の回転軸を設置面に固定するための固定軸部材と、前記回転架台の回転軸中心部から複数方向に放射状に延出して設けられた、プラスチック製配管を把持するための配管受けアームと、前記回転架台の回転とともに配管受けアームの回転を可能にするために該配管受けアームに設けられたキャスターとを具備し、前記配管受けアームが、設置面に対して垂直方向に回転自在に前記回転架台に固定されることによって、複数の前記配管受けアームを傘状に折りたためるようにしたことを特徴とする。
【０００９】
さらに、本発明の好ましい態様においては、上記複数の配管受けアームを相互に固定して横ぶれを防止するための固定部材をさらに具備することができる。
【００１０】
また、本発明に係る繰出装置においては、前記キャスターが、前記配管受けアームの長手方向への移動可能に固定されていてもよい。
【００１１】
さらに、本発明の好ましい態様においては、前記プラスチック製配管がポリエチレンパイプである。
【発明の効果】
【００１２】
本発明の繰出装置は、上記のような構成からなるので、折りたたまれた状態で現場に搬送して、繰り出し現場において、迅速に設置することができ、しかも繰り出し作業も円滑に行うことができるというすぐれた効果を奏する。
【発明を実施するための最良の形態】
【００１３】
上述したように、本発明に係るプラスチック製配管の繰出装置は、巻き取られたプラスチック製配管を敷設施工現場において繰り出すための、折りたたみ可能の繰出装置であって、回転架台と、前記回転架台の回転軸を設置面に固定するための固定軸部材と、前記回転架台の回転軸中心部から複数方向に放射状に延出して設けられた、プラスチック製配管を把持するための配管受けアームと、前記回転架台の回転とともに配管受けアームの回転を可能にするために該配管受けアームに設けられたキャスターとを具備し、前記配管受けアームが、設置面に対して垂直方向に回転自在に前記回転架台に固定されることによって、複数の前記配管受けアームを傘状に折りたためるようにしたことを特徴としている。
【００１４】
以下、図面を参照して本発明の好ましい態様に基づいて説明する。
【００１５】
図１は、本発明に係るプラスチック製配管の繰出装置の構成を示す外観図であり、図２は、図１に示す繰出装置を横方向かた見た図である。この例において、繰出装置本体は、回転架台１が固定軸部材としての固定軸２を回転軸中心として右回り・左回り自在に回転できるように構成されている。
【００１６】
このような回転架台１は、図２に示すように、円盤状の底板にオス型の円筒部を設けた回転台受け１ａとメス型の円筒部を有する回転台１ｂによって構成することができる。また、回転架台１は、その回転中心に設けられた穴を介して固定軸２を地中に打ち込むことによって固定することができる。
【００１７】
上記回転架台１には、巻き取られたプラスチック製配管を載置し把持するための配管受けアーム３が、回転軸中心部から複数方向に放射状に延出して接続されている。この例では、配管受けアーム３は、中空の角柱棒からなる。配管受けアーム３は、回転架台１の四隅に設けられたガイド部材１ｃにその先端部が収容され、かつ、各配管受けアーム３は、設置面に対して垂直方向に回転できるように、ガイド部材１ｃに回動自在に回転軸３ａにおいて固定されている。図１では、１本だけを回動させた状態が示されている。したがって、これら４本の配管受けアーム３を回動させることによって、傘状に折りたたみ束ねることができる。このような折り畳みが可能になることによって、運搬の際の利便性と装置の組み立て作業の容易・迅速化の双方を図ることができる。
【００１８】
また、本発明の繰出装置においては、前記回転架台１の回転とともに配管受けアーム３の水平方向の回転を可能にするために該配管受けアーム３の所定位置にキャスター４が設けられている。このキャスター４は、配管受けアーム３の長手方向への移動が可能で所望の位置に固定できるように、鞘状の部材に取り付けられて、ボルト４ａで所定位置に固定できるように構成することもできる。
【００１９】
さらに、配管受けアーム３には、載置された配管のずれを防止するための配管ガイド５が設けられていてもよい。この例の場合は、配管ガイド５は可動式であり、ボルト５ａによってアーム３の所定位置に固定することができる。さらにまた、本態様に示すように、配管受けアーム３の横ぶれを防止して複数のアームを相互に固定する手段として、アーム本体にプレース受７を設けて振止めプレース６を係合するように構成することもできる。
【００２０】
上述した図１および図２においては、配管受けアーム３が４本の例について説明したが、アームの数は、適用するプラスチック製配管の種類、量、サイズに応じて適宜選択することができる。たとえば、配管受けアームが３本の場合、５本の場合、６本の場合等、適宜設計することが可能である。
【００２１】
図３は、本発明の繰出装置の配管受けアーム上に載置されたプラスチック製配管８の束が、アーム３の回転に従って繰り出されていく状態を上方から見た図である。
【００２２】
上述したように、本発明の繰出装置によれば、折りたたまれた状態で現場に搬送して、繰り出し現場において、迅速に設置することができ、しかも繰り出し作業も円滑に行うことができるというすぐれた効果を奏する。
【図面の簡単な説明】
【００２３】
【図１】本発明の一実施態様を示す外観図。
【図２】図１に示す本発明の実施態様を横から見た図。
【図３】本発明の繰出装置の使用態様を示す図。
【符号の説明】
【００２４】
１  回転架台
２  固定軸
３  配管受けアーム
４  キャスター
５  配管ガイド
６  振止めプレース
７  プレース受
８  プラスチック製配管
【図１】
2008133892.tif 000003
【図２】
2008133892.tif 000004
【図３】
2008133892.tif 000005